(57)【特許請求の範囲】
【請求項１】
嵌合部を備えた雄雌部材の組合せに於いて、雄部材（３）を固定部材（４）と可動部材（２１）とで構成し、固定部材の形状が、先端材（５）と後端材（６）と側材（７）による枠と、その枠内に孔（８）と底材（１０）を設け、枠端に突起（１４）付き屈伸部（１５）による雌部材との嵌合部を備えてなり、可動部材の形状が、先端材（２２）と中央材（２３）と後端材（２４）と側材（２５）による枠と、その枠内に複数の孔（２６，２７）を設けてなり、固定と可動の両部材をピン孔（１２）とピン（２８）で形成したヒンジで回動自在に接続し、雌部材（３１）が胴体（３２）と接続材（４０）でなると共に、その胴体内部の空洞（３４）に係合用の切込み（３８）と側面孔（３６）を設け、雄雌部材の嵌合で、雄部材の屈伸部が雌部材の側面孔より突出し、突起が切込みに達すると両者は係合し、屈伸部の背中（１６）を内側に押して鍵穴から突起を押し出すと両者の係合が解ける構成としたことを特徴とする帯状体の長さ調節機能付き接続具。
【請求項２】
固定部材（４）の底材（１０）に舌片（９）を設け、可動部材（２１）が回動するに従い、可動部材端部の突起（２９）が舌片に接し、押し曲げ、通過により、可動部材が自力で原状復帰する逆戻りを防止する構成としたことを特徴とする請求項１に記載の帯状体の長さ調節機能付き接続具。
【請求項３】
雄部材（３）の端部が備える雌部材（３１）との嵌合部を略Ｍ字とし、係合用の突起（１４）付き屈伸部（１５）に中央Ｖ字で強い弾性を付与した構成を特徴とする請求項１に記載の帯状体の長さ調節機能付き接続具。
【請求項４】
雌部材（３１）の胴体（３２）が備える雄部材（３）との嵌合部に、開口部（３３）から空洞（３４）奥の係合用の切込み（３８）に至る案内溝（３５）を形成し、その溝幅を開口部で広く奥に向かう程狭く形成し、嵌合の進行に伴い雄部材の突起（１４）を内向きに移動して鍵穴に達して落ち込み、屈伸部（１５）原状に復帰と同時に係合が完了する構成としたことを特徴とする請求項１に記載の帯状体の長さ調節機能付き接続具。
【発明の詳細な説明】
【０００１】
【産業上の利用分野】
本発明は、帯状体の両端を結合し長さの調節機能を備えた接続具に関する。
【０００２】
【従来の技術】
物の結束や拘束を目的とする資材は、可撓性に富み使い易さを考慮して薄く幅広の帯状を呈する。その代表的なものに、消耗材では梱包用の紐、耐久材では衣装の装具として使用するベルトや吊り具或いはかばんに使用する下げ具等の帯状体があり、このような用途での両端処理には、接続具を使用しない直接手段と使用する間接手段とがある。
【０００３】
梱包等の用途が主目的の紐では、対象物の荷姿が崩れないようにテンションを加え、接続具なしに紐同士を緩まぬように直接接続し、結び目以降を切り離す直接手段を利用する。装具が主目的の場合は長期に渡り反復使用し、殆どの場合、長さ調節機能付き接続具を介する間接手段を利用する。材料は、帯状体に天然か合成の繊維または皮革を加工して当て、接続具に金属か合成樹脂を使用する。
【０００４】
【発明が解決しようとする課題】
反復使用する帯状体で長さ調節を要する用途には接続具が欠かせないが、接続具の長さ調節構造を帯状体と接続具の関係でみると、摩擦を利用し微調整が効き汎用性があるものと、係止点を利用し微調整の効かない汎用性が重視されないもがあるが、何れも次のような問題がある。
【０００５】
その問題は、人が接続具の操作を行う場合に静止に近い状態と両手の使用を必要とすること、接続具の構造と帯状体の材質の組合せが適切を欠くと、使用中にずれを起こし、手暗がりでの調整もしにくいことである。この傾向はバックル、フックアンドアイ形止め具、アジャスター等の接続具に共通する問題で、特にベルトとバックルの組合せでは調節の範囲が限られる。
【０００６】
【課題を解決するための手段】
本発明は、既述の問題を解決した帯状体の調節機能付き接続具の提供を目的とする。
【０００７】
本発明は、嵌合部を備えた雄雌部材の組合せに於いて、雄部材を固定部材と可動部材とで構成し、固定部材の形状が、先端材と後端材と側材による枠と、その枠内に孔と底材を設け、枠端に突起付き屈伸部による雌部材との嵌合部を備えてなり、可動部材の形状が、先端材と中央材と後端材と側材による枠と、その枠内に複数の孔を設けてなり、固定と可動の両部材をピン孔とピンで形成したヒンジで回動自在に接続し、雌部材が胴体と接続材でなると共に、その胴体内部の空洞に係合用の切込みと側面孔を設け、雄雌部材の嵌合で、雄部材の屈伸部が雌部材の側面孔より突出し、突起が切込みに達すると両者は係合し、屈伸部の背中を内側に押して切込みから突起を押し出すと両者の係合が解ける構成としたことを特徴とする帯状体の長さ調節機能付き接続具である。
【０００８】
【発明の実施の形態】
本発明の接続具は、雄雌部材からなる分離可能型とし、雄部材を固定部材と可動部材の組合せとして、帯状体の緩み止めと長さ調節の諸機能を備え、雌部材には帯状体の固定部分を備えしめ、双方間に着脱が容易で確実に一体化する嵌合部を形成した構造である。
【０００９】
固定と可動の両部材でなる雄部材は、両部材に複数孔を形成してピン結合し、固定部材に対し可動部材を回動自在とし、帯状体が孔を通り抜けまたは折返す際に、その周囲に充分巻き付く構造とした。この構造により帯状体にテンションが掛かると、帯状体の折返し部に生じるテンションカツト機能と、帯状体同士間に働く摩擦力との相乗効果が生まれ、接続具に強力な緩み止め機能を与える。
【００１０】
可動部材をＶ字に開くと緩み止めが解除され長さ調節が容易に進む。この際、可動部材のヒンジ周辺の突起を固定部材の舌片を通過するまで動かすと、可動部材は自力で原状復帰する逆戻りがなくなり、帯状体の通しや引き出し等の調節作業が容易になる。帯状体にテンションが働らかない状態では調節は当然容易である。
【００１１】
接続具の雄雌部材は夫々に嵌合部を備え、嵌合部構造は、雄部材に弾性を付与した係合用の突起付き屈伸部を形成し、この突起を雌部材の胴体内に案内して係合用の切込みに導く溝を設け、雄雌部材をワンタッチで嵌合した後、突起の係合確認が可能な構造とした。また嵌合状態で胴体の側面孔から覗く屈伸部を内向きに押さえて引くと、切込みから突起が外れて係合が解除になる。
【００１２】
上記説明の構造により接続具の嵌合と帯状体の長さを調節する作業は明暗に関係なく容易になった。接続具に使用する材料は金属でもよいが、強度や耐熱性が特別に必要でない限り合成樹脂製とすることが望ましく、そうする事により成型性のよさが製造コストを引下げ、成型後に得られる弾性と強度と重さ等の物性は使用条件を充分に満たすことができる。
【００１３】
【作用】
本発明は、雄雌部材による接続具に於いて、雄部材をヒンジで固定と可動の両部材を接続し、両部材に緩止機能付きの帯状体の通し孔を設け、雌部材とワンタッチ接続する。
【００１４】
【実施例】
図１は接続具２の組立斜視を、図２は両端に帯状体１を装着した接続具を雄部材３と雌部材３１に分離した斜視を、図３（Ａ，Ｂ）は嵌合状態の接続具の断面と同断面に於ける可動部材の動きを、図４（Ａ，Ｂ）は接続具の表面と裏面を、図５（Ａ，Ｂ，Ｃ）は接続具嵌合時の係合状態を三段階で夫々示した。
【００１５】
図１に示すように、接続具２は固定部材４と可動部材２１からなる雄部材３と雌部材３１とで構成した。同図に示すように、接続具は雌部材の側面孔３６から突出する雄部材の屈伸部１５の背中１６を矢印方向に内向きの力を加え内側に押し込み引き離すと、図２に示すように、接続具の雌雄部材は容易に分離する。
【００１６】
図２と図３（Ａ，Ｂ）に示すように、固定部材４は先端材５と後端材６と側材７で枠を形成し、その枠内に孔８と舌片９付きの底材１０と窪み及びピン孔１２を有し、後端材に可動部材２１との嵌合部を備える。この嵌合部は後端材に突部１３を有し、その両端から全体がＭ字を呈する突起１４付きで弾性のある屈伸部１５を延ばし、先端Ｖ字部１７が強力な弾性を備える構造とし、先端材内側下端１８を鋭角に仕上げ、帯状体１の折曲げて生ずる緩み止めを向上した。
【００１７】
可動部材２１を先端材２２と中央材２３と後端材２４と側材２５と各部材の間の前孔２６と後孔２７及び両端のピン２８で構成した。固定部材のピン孔１２とピンを組合せてヒンジとし、図３（Ｂ）に示すように、可動部材をＶ字に開くと後端材下面の突起２９が舌片９を押し下げ、通過後に可動部材の自力復帰をなくした構造としたので孔８，２６，２７に帯状体１の通しを容易にした。帯状体の接する各材の縁は緩み止めのためにエッヂを立てた状態とした。
【００１８】
雄部材３に於ける孔の関係は、可動部材２１の中央材２３が固定部材４の孔８の略中央に位置し、後孔２７と底材１０の間で帯状体１が折曲げ易いように窪みを配置した構造である。図２と図３（Ａ，Ｂ）に示すように、雌部材３１は内部に空洞３４を備えた胴体３２と、その胴体の一端に雄部材と嵌合する開口部３３と他端に帯状体を繋ぐ接続材４０を備える。
【００１９】
雌部材３１は開口部３３から胴体３２内の空洞３４に向けた案内溝３５を上下に備え、その案内溝で雄部材３の突起１４を胴体内部の係合位置の切込み３８に誘導する。また胴体の両脇を窪ませた部分に空洞に通ずる側面孔３６を形成するので、雄雌部材を嵌合した時に雄部材の屈伸部１５が側面孔から露出し、図１に示すように、屈伸部の背中１６が押し易い。
【００２０】
雄雌部材３，３１の嵌合動作を説明する。図５（Ａ）が嵌合前、図５（Ｂ）が嵌合中、図５（Ｃ）が嵌合後で、雄部材の突起１４を雌部材の上下案内溝３５に合わせ進めると、突起は案内溝の傾斜に沿い屈伸部１５を内側に縮めＶ字部１７を変形し、後端材６の突部１３と開口部３３が接するまでむと、突起が案内溝先端の切込み３８に落ち係合が完了すると屈伸部が原形に復する。この完了時期は係合時の音か覗き窓３７で突起を確認すればよい。
【００２１】
図５（Ｃ）の状態から雄雌部材３，３１の係合を解除するには、雌部材の胴体３２の側面孔３６から露出する雄部材の屈伸部１５の背中１６を内向き（矢印）に力を加えて押すと、突起１４は点線で示すように切込み３８から押し出され、雄雌部材を左右に引けば分離して図５（Ｂ）から図５（Ａ）の状態に戻る。
【００２２】
帯状体１は図３の点線に示すように接続具２に通して接続する。即ち、帯状体は固定部材４の先端材５で鋭角に折曲がり、次いで可動部材２１の前孔２６と後孔２７を通り、固定部材側の底材１０上の窪みの効果で、中央材２３にループ状に巻き付き、帯状体に働くテンションにより充分な巻き付きで摩擦力を発揮し、折返し部分に働くテンションカットとで、優れた緩み止め効果を発揮しずれが起きない。
【００２３】
帯状体１の長さは接続具２の状態に関係なく調節ができる。帯状体にテンションが働らかない時は可動部材２１はＶ字に開き易く、可動部材を開くと帯状体も引き出されて調節がし易い。テンションが働らくと可動部材の中央材２３に巻き付いた帯状体を予め引出して可動部材２１を開くと調節がし易くなる。また調節には静止の必要がなく周囲の明暗に関係なく充分に調整できる。
【００２４】
【発明の効果】
本発明の帯状体の長さ調節機能付き接続具の使用で下記の効果を得た。
▲１▼接続具をワンタッチ着脱が可能な分割型としたので扱い易い。
▲２▼雄部材に帯状体を折曲げ巻き付ける部分を内蔵したので、摩擦力とテンションカット機能が効果的に働く構造となり緩み止めが向上した。
▲３▼可動部材を開くと緩み止めが簡単に解除され、ヒンジに大きな力が作用することもなく破損の心配もない。
▲４▼可動部材に戻り止めを付けたので帯状体の通しと調節がし易い。
▲５▼金型で量産するので接続具のコストが本体コストに影響を与えない。
【図面の簡単な説明】
【図１】接続具の単体斜視である。
【図２】図１の接続具を分離した状態の斜視である。
【図３】接続具の可動部材が、（Ａ）は閉、（Ｂ）は開の各状態の断面を示した。
【図４】接続具の、（Ａ）は表、（Ｂ）は裏の各面を示した。
【図５】接続具の、（Ａ）は嵌合前、（Ｂ）は嵌合中、（Ｃ）は嵌合後の各状態の断面を示した。
【符号の説明】
１  帯状体
２  接続具
３，３１  雄・雌の各部材
４，２１  固定・可動の各部材
９  舌片
１２，２８  ピン孔とピン
１４，２９  突起
１５  屈伸部
２３  中央材
３５  案内溝
３６  側面孔
３８  切込み
【図１】
0003790094.tif 000002
【図２】
0003790094.tif 000003
【図３】
0003790094.tif 000004
【図４】
0003790094.tif 000005
【図５】
0003790094.tif 000006